(57)【特許請求の範囲】
【請求項１】
相対する側壁板を構成材とする通気口を備えた方形状の主体枠と、熱熔融性素材の熔融により作動して前記通気口を閉塞する閉塞板とから成り、前記側壁板に円形の透孔で構成する受支孔を設け、該受支孔に両端に連設した突片を係合して前記閉塞板を前記側壁板に回動可能に組付けた構造のものにおいて、前記側壁板に、該側壁板の内面と前記閉塞板の端縁との間隔を常時保持するリブを前記閉塞板方向に突設し、該リブを側壁板に設けた前記透孔の全部又は一部を取り囲む突条で構成した、建物用金属製換気口。
【請求項２】
突片を軸線に沿って長い断面折曲げ形状にした、請求項１記載の建物用金属製換気口。
【発明の詳細な説明】
【０００１】
【産業上の利用分野】
本発明は金属板を加工して構成した建物用金属製換気口に関するものである。
【０００２】
【従来の技術】
相対する側壁板を構成材とする通気口を備えた方形状の主体枠と、熱熔融性素材の熔融により作動して前記通気口を閉塞する閉塞板とから成り、前記側壁板に円形の透孔で構成する受支孔を設け、該受支孔に両端に連設した突片を係合して前記閉塞板を前記側壁板に回動可能に組付けた建物用金属製換気口は、例えば実用新案登録第２５３５２２０号公報に所載の通り公知である。
【０００３】
【発明が解決しようとする課題】
前記公報所載の従来例は、換気口としてそれなりに機能するものであるが、熱熔融性素材の熔融により閉塞板が回動して通気口を閉塞する際、加工精度や熱変形に因り、閉塞板の端縁が通気口を構成する側壁板の内面に接触してその回動が円滑に行われない場合が想定され、この結果、火災時に通気口の閉塞操作が行われないおそれがある。
【０００４】
本発明は、従来例のものによって想定される斯様な欠点を可及的に回避した製品を提供することを目的として創案したものである。
【０００５】
【課題を解決するための手段】
相対する側壁板を構成材とする通気口を備えた方形状の主体枠と、熱熔融性素材の熔融により作動して前記通気口を閉塞する閉塞板とから成り、前記側壁板に円形の透孔で構成する受支孔を設け、該受支孔に両端に連設した突片を係合して前記閉塞板を前記側壁板に回動可能に組付けた構造のものにおいて、前記側壁板に、該側壁板の内面と前記閉塞板の端縁との間隔を常時保持するリブを前記閉塞板方向に突設し、該リブを側壁板に設けた前記透孔の全部又は一部を取り囲む突条で構成したことを基本的手段とする。
【０００６】
なお、突片を軸線に沿って長い断面折曲げ形状にした構成にすることにより、閉塞板の回動支軸を構成する突片が受支孔内で尚一層引っ掛りにくくなりその回動（通気口の閉塞動作）を円滑に行うことができる。
【０００７】
【実施例】
図面は本発明に係る建物用喚起口の一実施例を示し、図１は縦断面図、図２は図１の一部欠截平面図、図３は図１のｘ−ｘ線断面図、図４は通気口を閉塞した状態の図１のｘ−ｘ線断面図、図５は閉塞板の一部の斜視図である。
【０００８】
図中、１は金属製の主体枠で、主体枠１は前壁板１ａ、後壁板１ｂおよび左右の側壁板１ｃ，１ｃで成り、左右の側壁板１ｃ，１ｃを前後の壁板１ａ，１ｂより高くした方形枠状態で成り、各壁板１ａ，１ｂ，１ｃで取り囲んで通気口２を構成せしめ、該通気口２の口縁部に前記前後壁板１ａ，１ｂの上端に水平方向に連設した受部片３，３を設けてある。
【０００９】
４は金属製の閉塞板で、閉塞板４は、長手方向の両端に連設した突片５，５を主体枠１の前記側壁板１ｃ，１ｃに設けた円形状の受支孔６，６に回動自在に係合し、該突片５，５を中心に回動自在にして主体枠１に組付けてある。
【００１０】
突片５は軸線（閉塞板４の回動軸線）に沿って長い半円筒体で構成し（図５）て、これを円形の前記受支孔６に係合することにより該受支孔６の孔縁に沿って円滑に回動するようにしてある。すなわち、突片５の長手方向（前記軸線方向）に沿う両端が（平板体で構成したもののように、しかも、ときとしてバリの有る）前記受支孔６の孔縁（ときとして、バリの有る）に引っ掛りにくくして突片５すなわち閉塞板４の回動（通気口２の閉塞動作）を円滑に行うようにしてある。
【００１１】
従って、突片５は断面三角形状等前記軸線に沿って長い断面折り曲げ形状であれば良い。もっとも、断面円形（半円も含んで）が最も円滑に回動動作を行うことができる。
【００１２】
図１で示すように、この突片５の基部両側である閉塞板４の端縁４´に切欠８，８を設けてあるのは、前記突片５の形成上便利にするためと、前記受支孔６を筒状にして閉塞板４に対する受支強度を高めるためで、受支孔６を筒状体で構成しても、切欠８を筒状体の先端の逃げとすることができる。すなわち、閉塞板４の内面に図１のように打出し成形した、受支孔６を構成する筒状体を突設させても、切欠８を該筒状体の逃げとして機能させて、端縁４´を内面１ｃ´に近接させて両者間に生じる空隙間隔を狭くできる。
【００１３】
また、前記側壁板１ｃには、該側壁板１ｃの内面１ｃ´と前記閉塞板４の前記突片５を連設した端縁４´との間隙ａを保持するリブ７を前記閉塞板４（の端縁４´）方向に突設してある。
【００１４】
実施例のリブ７，７は、前記端縁４´の前記突片５を介する各一半ずつに対応するようにして前記受支孔６を取り囲むようにした円弧状の突状で成り、端縁４´はこれらに常時交差する位置関係にして配され、前記間隙ａは保持される。
【００１５】
なお、リブ７は実施例の形状、位置関係に限る必要はなく、端縁４´が側壁板１ｃの平坦状の内面１ｃ´に対する接触を妨げ、前記間隙ａを常時維持すれば良いのであって、円形状は勿論正面視角形状のリング形でも差し支えない。
【００１６】
この閉塞板４の下面の中間部にはほぼ断面Ｌ字形の重り板９の一片９ａを固着し、重り板９の他の一片９ｂはほぼ水平方向に配し、その下面に接続部片１０の一端を螺子１１で止着してある。
【００１７】
１２は主体枠１の前記前壁板１ａにＬ字形の一片１２ａを固着して他の一片１２ｂを前記重り板９の他の一片９ｂに対して前記側壁部片１ｃ，１ｃ間方向に水平にして並べた支持片で、該支持片１２の前記他の一片１２ｂに接続部片１３を設け、この接続部片１３に重り板９の他の一片９ｂに設けた前記接続部片１０を下側から重ね合わせ、各接続部片１０，１３に設けた透孔１４に鉛１５を充填して互いに接続してある。
【００１８】
１６は、前記閉塞板４を閉塞方向に回動付勢させるコイルスプリングで、コイルスプリング１６は、一端１６ａを閉塞板４の後壁板１ｂ側の一端の下面に、他の一端１６ｂを受止部片１２ｃに係止させてある。受止部片１２は前記他の一片１２ｂにほぼ平行させて前記支持片１２に設けたものである。
【００１９】
しかして、鉛１５が熔融すると、各接続部片１０，１３は互いに分離し、この結果、コイルスプリング１６が閉塞板４を突片５，５を中心に強制的に回動させ、閉塞板４の一端は前壁板１ａに連設した受部片３の上側に、また、他の一端は後壁板１ｂに連設した受部片３の下側にそれぞれ圧接重合して通気口２は閉塞される。
【００２０】
そして、閉塞板４の回動時に、閉塞板４の端縁４´は通気口２を構成する側壁板１ｃの内面１ｃ´に接触することなく間隙ａは保持され、その動作が円滑に行われる。
【００２１】
【発明の効果】
本発明は前記の通りの構成であるから、閉塞板の端縁がリブの存在により通気口を構成する側壁板の内面に接することがないのでその回動（通気口の閉塞動作）を円滑に行うことができ、また、リブの存在により側壁板が高熱により変形しにくく、従って、前記の回動を確実に行うことができる。
【図面の簡単な説明】
【図１】縦断面図。
【図２】図１の一部欠截平面図。
【図３】図１のｘ−ｘ線断面図。
【図４】通気口を閉塞した状態の図１のｘ−ｘ線断面図。
【図５】閉塞板の一部の斜視図。
【符号の説明】
１      主体枠
１ｃ    側壁板
２      通気口
４      閉塞板
５      突片
６      受支孔
７      リブ
【図１】
0003689641.tif 000002
【図２】
0003689641.tif 000003
【図３】
0003689641.tif 000004
【図４】
0003689641.tif 000005
【図５】
0003689641.tif 000006